(57)【要約】【課題】油圧やねじ送り機構等の機械的な力を利用して、安全で、簡単且つ効率よく管路用止水栓を除去できるようにする。【解決手段】マンホール１内の壁面１ａに露出している止水栓３にねじ込み部材５をねじ込み挿入し、係合部材１１と反力受板１５とを軸方向移動手段２０としての油圧シリンダー等の進退手段２１により連接した引抜き具１０を用い、反力受板１５を壁面１ａに当接させ、係合部材１１をねじ込み部材５の突出端側に係合させ、進退手段２１の作動により、係合部材１１を反力受板１５から離隔させ、ねじ込み部材５と共に止水栓３を管路２の口部２ａから引き抜く。【選択図】　　　　図８
2004023855.tif 000002
【特許請求の範囲】
【請求項１】
マンホールや洞道内においてケーブル用管路の口部に取着されている管路用止水栓を除去する方法であって、
止水栓にねじ込み可能な複数本の引抜き用のねじ込み部材を、壁面に露出している前記止水栓に対して所定の位置にねじ込むとともに、このねじ込み部材の突出端側を引抜き具の係合部材に係合させておいて、前記管路口部周辺の壁面に当接させた反力受板をベースにして、軸方向移動手段により前記係合部材を管路口部から引き離す方向に移動させることにより、前記ねじ込み部材と共に止水栓を引き抜くことを特徴とする管路用止水栓の除去方法。
【請求項２】
マンホールや洞道内においてケーブル用管路の口部に取着されている管路用止水栓を除去するための除去装置であって、
先端から所要長さがマンホール等の壁面に露出している前記止水栓に対しねじ込み可能な螺旋状をなし、かつ他端側に係合手段を備えるねじ棒よりなる複数本の引抜き用のねじ込み部材と、該ねじ込み部材と共に止水栓を引き抜くための引抜き具とよりなり、
前記引抜き具は、複数本の前記ねじ込み部材を挿通でき前記係合手段が係合できる係合孔部を有する係合部材と、マンホール等の壁面に対し当接する反力受板とが、所要の間隔をおいて軸方向移動手段により相互に離隔また接近可能に連接され、該係合部材及び反力受板に、それぞれ止水栓から延びているケーブルの挿通部が一部で外側方に切欠開口して形成されてなることを特徴とする管路用止水栓の除去装置。
【請求項３】
前記係合部材が、前記反力受板に対し前記マンホール等の壁面から遠方になる側に間隔をおいて配置されて、前記反力受板に対し両者間に介設された軸方向移動手段により隔離可能に連接され、該軸方向移動手段の作動で前記係合部材が反力受板から隔離する方向に移動することにより止水栓を引き抜く構成とした請求項２に記載の管路用止水栓の除去装置。
【請求項４】
前記係合部材を移動させる軸方向移動手段が、油圧等の液圧によるシリンダー機構、ジャッキ手段等の進退手段よりなる請求項２または３に記載の管路用止水栓の除去装置。
【請求項５】
マンホールや洞道内においてケーブル用管路の口部に取着されている管路用止水栓を除去するための除去装置であって、
マンホール等の壁面に露出している前記止水栓に対しねじ込み可能で、かつ後端部に係合手段を有するねじ釘状の複数本の引抜き用のねじ込み部材と、該ねじ込み部材と共に止水栓を引き抜くための引抜き具とよりなり、
前記引抜き具は、ケーブルが挿通できかつ外周にねじが形成されたねじ筒部を有するとともに、該ねじ筒部のマンホール等の壁面側の端部に設けられたフランジ部に前記複数本のねじ込み部材を挿通できかつ前記係合手段が係合できる係合孔部が設けられた係合部材と、前記ねじ筒部に軸方向移動自在に遊嵌しマンホール等の壁面に対し前記フランジ部の外方で当接する反力受板と、前記反力受板の後続において前記ねじ筒部に螺合して反力受板をベースにして前記係合部材を軸方向に移動させる操作環部材とを有し、
前記ねじ筒部を含む係合部材、前記反力受板および前記操作環部材は、それぞれ周方向の一部においてケーブルが通過可能なように外側方に切欠開口せしめられてなることを特徴とする管路用止水栓の除去装置。
【請求項６】
前記引抜き具の反力受板には、マンホール等の壁面の側に向かって突出し該内壁面に対して当接するボルト等よりなる複数の脚部材が設けられてなる請求項２〜５のいずれか１項に記載の管路用止水栓の除去装置。
【発明の詳細な説明】
【０００１】
【発明の属する技術分野】
本発明は、主に地下ケーブル及びその管路の点検作業、新ケーブルの通線作業その他の作業のために、マンホール内のケーブル用管路の口部に取着されている管路用止水栓の除去方法および除去装置に関するものである。
【０００２】
【従来の技術と発明が解決しようとする課題】
地下ケーブルは、地下に埋設されたケーブル用の管路に布設され収容されている。各管路は所定距離をおいて設けられたマンホール間を連絡しており、各管路はマンホール内に開口している。通常、縦横複数列に並列して開口している。使用中の管路はケーブルが挿通されるとともに、口部がケーブル周囲の詰め物である止水栓によって閉塞されている。不使用の空の管路についてもマンホールに開口する管路の口部に止水栓が設けられている。
【０００３】
図１１及び図１２に示すように、マンホール１内に開口するケーブル用管路２の口部２ａの止水栓３は、ゴム材等の弾性体よりなる環状体の一部を切開いた割環状をなし、必要に応じて管路２の口部２ａに内嵌する部分の外周部に吸水マット３ａが設けられており、ケーブル４の周囲に割れ目部分３ｂから嵌合してかつ前記口部２ａの内周に嵌着されており、前記吸水マット３ａが水分を吸収して膨張し、口部２ａに対しきわめて強固に固着された状態になっている。
【０００４】
そのため、前記の止水栓３を除去するのは容易でなく、例えば作業者がカッターナイフ、ドライバー、引っ掻き棒等の工具を使って止水栓を破砕しながら取り除くようにしている。
【０００５】
この作業は、既設のケーブルを損傷させる危険性があり、困難で時間のかかる作業となっており、きわめて作業効率が悪い。
【０００６】
本発明は、上記に鑑みてなしたものであり、油圧あるいは螺合操作等による機械的な力を利用して、安全で、簡単且つ効率よく止水栓を除去できるようにした管路用止水栓の除去方法と除去装置を提供するものである。
【０００７】
【課題を解決するための手段】
上記の課題を解決する本発明は、マンホールや洞道内においてケーブル用管路の口部に取着されている管路用止水栓を除去する方法であって、止水栓にねじ込み可能な複数本の引抜き用のねじ込み部材を、壁面に露出している前記止水栓に対して、例えばガイドパイプを利用して所定の位置にねじ込むとともに、このねじ込み部材の突出端側を引抜き具の係合部材に係合させておいて、前記管路口部周辺の壁面に当接させた反力受板をベースにして、軸方向移動手段により前記係合部材を管路口部から引き離す方向に移動させることにより、前記ねじ込み部材と共に止水栓を引き抜くことを特徴とする。
【０００８】
この方法によれば、既設ケーブルに損傷を与えず、管路の口部の止水栓にねじ込んだねじ込み部材と係合する係合部材を、軸方向移動手段による機械的な力によって移動させることができ、これにより、管路端部の止水栓を前記ねじ込み部材と共に容易に且つ安全、確実に引き抜き除去することができる。
【０００９】
そして、上記の方法を実施するための本発明の第１の管路用止水栓の除去装置は、先端から所要長さがマンホール等の壁面に露出している前記止水栓に対しねじ込み可能な螺旋状をなし、かつ他端側に係合手段を備えるねじ棒よりなる複数本の引抜き用のねじ込み部材と、該ねじ込み部材と共に止水栓を引き抜くための引抜き具とよりなり、前記引抜き具は、複数本の前記ねじ込み部材を挿通でき前記係合手段が係合できる係合孔部を有する係合部材と、マンホール等の壁面に対し当接する反力受板とが、所要の間隔をおいて軸方向移動手段により相互に離隔また接近可能に連接され、該係合部材及び反力受板に、それぞれ止水栓から延びているケーブルの挿通部が一部を外側方に切欠開口して形成されてなることを特徴とする。
【００１０】
この発明の除去装置によれば、前記ねじ込み部材を止水栓に対し位置を決めてねじ込んだ後、前記引抜き具をケーブルの周り問題なくセットできて、前記反力受板を壁面に当接させて位置決めできるとともに、係合部材を止水栓に対し先端側をねじ込んだ引抜き用のねじ込み部材に対し嵌合し係合させることができる。この状態で、前記軸方向移動手段により、前記係合部材を前記反力受板をベースにしてマンホール等の壁面から引き離す方向に移動させることにより、ねじ込み部材と共に管路口部の止水栓を引き抜くことができ、前発明の除去方法を容易にして確実に実施することができる。
【００１１】
前記係合部材が、前記反力受板に対し前記マンホール等の壁面から遠方になる側に間隔をおいて配置されて、前記反力受板に対し両者間に介設された軸方向移動手段により隔離可能に連接され、該軸方向移動手段の作動で前記係合部材が反力受板から隔離する方向に移動することにより止水栓を引き抜く構成とした場合、前記止水栓の引き抜き除去作用が確実になされる。
【００１２】
前記係合部材を移動させる軸方向移動手段としては、油圧等の液圧によるシリンダー機構、ジャッキ手段等の進退手段よりなるものが好ましく、これにより簡単にして確実に機械的な強い力で進退できて、係合部材を反力受板に対し確実に離隔あるいは接近させることができ、止水栓を容易に引き抜くことができる。
【００１３】
また、本発明の第２の管路用止水栓の除去装置は、マンホール等の壁面に露出している前記止水栓に対しねじ込み可能で、かつ後端部に係合手段を有するねじ釘状の複数本の引抜き用のねじ込み部材と、該ねじ込み部材と共に止水栓を引き抜くための引抜き具とよりなり、前記引抜き具は、ケーブルが挿通できかつ外周にねじが形成されたねじ筒部を有するとともに、該ねじ筒部のマンホール等の壁面側の端部に設けられたフランジ部に前記複数本のねじ込み部材を挿通できかつ前記係合手段が係合できる係合孔部が設けられた係合部材と、前記ねじ筒部に軸方向移動自在に遊嵌しマンホール等の壁面に対し前記フランジ部の外方で当接する反力受板と、前記反力受板の後続において前記ねじ筒部に螺合して反力受板をベースにして前記係合部材を軸方向に移動させる操作環部材とを有し、前記ねじ筒部を含む係合部材、前記反力受板および前記操作環部材は、それぞれ周方向の一部においてケーブルが通過可能なように外側方に切欠開口せしめられてなることを特徴とする。
【００１４】
この発明の除去装置によれば、前記引抜き具のねじ筒部を含む係合部材を、切欠開口部からケーブルの周りにセットし、該係合部材の係合孔部を通してねじ釘状のねじ込み部材を、管路口部に露出する止水栓に対しねじ込んで、該ねじ込み部材の係合手段を係合孔部に係合させておく。こうして前記係合部材のねじ筒部の外周に前記反力受板を遊嵌してマンホール等の壁面に当接させるとともに、その後続において、前記操作環部材を前記ねじ筒部に螺合して前記反力受板に当接させる。この際、前記反力受板及び操作環部材はいずれも、外周一部の切欠開口部からケーブルを通過させるようにして難なく前記状態にセットできる。
【００１５】
そして、この状態で、前記操作環部材を回動操作して、前記ねじ筒部材すなわち係合部材を反力受板をベースにして管路口部から引き離す方向に牽引移動させることにより、前記ねじ込み部材と共に管路口部の止水栓を引き抜くことができ、前発明の除去方法を容易にして確実に実施することができる。
【００１６】
前記のいずれの発明の除去装置においても、前記引抜き具の反力受板には、マンホール等の壁面の側に向かって突出し該内壁面に対して当接するボルト等よりなる複数の脚部材が設けられてなるものが好ましい。これにより、マンホール等の壁面と反力受板との間に止水栓の引抜きスペースを十分に確保できる。前記脚部材が長さ調整できるものである場合には、壁面に少々の凹凸があっても、前記脚部材の長さ調整により十分に対応でき、引抜き具をガタつきや傾きを生じさせることなくセットできることになる。
【００１７】
【発明の実施の形態】
次に本発明の実施の形態を図面に示す実施例に基づいて説明する。
【００１８】
まず、本発明の管路用止水栓の除去方法の実施に使用する第１の除去装置について説明する。なお、除去対象の管路用止水栓３は、図１１及び図１２に基づいて従来技術で説明したとおりであり、一部に割れ目部分３ｂを有する割環状をなし、割れ目部分からケーブル４の外周に嵌着した状態でマンホールや洞道内に開口する管路２の口部２ａに嵌着されている。
【００１９】
本発明に係る第１の管路用止水栓の除去装置Ａ１は、例えばマンホール１の壁面１ａにおいて管路端より露出している止水栓３に対し先端側よりねじ込み可能に形成した図１に示すねじ棒よりなる複数本の引抜き用のねじ込み部材５と、該ねじ込み部材５に係合して該ねじ込み部材５と共に前記止水栓３を引き抜くための、図２、図３および図４に示す引抜き具１０とを備えている。このほか、必要に応じて、除去スペース及びねじ込み部材５のねじ込み位置を確認するための確認板３０（図５）、および前記ねじ込み部材５を止水栓３にねじ込む際のガイド部材４０（図６）とを組み合わせておくこともできる。
【００２０】
前記引抜き用のねじ込み部材５は、図１に示すように、その先端５ａが、マンホール等の壁面における管路口部より露出している前記止水栓３に対して突き刺し可能な尖鋭状をなすとともに、該先端５ａから所要長さが比較的ピッチの大きい螺旋状に形成され、前記止水栓３に対しねじ込み可能に形成されている。６は螺旋部を示す。また、該引抜き用のねじ込み部材５の他端から所要長さの部分は、係止手段としてのナット７を任意の位置に螺合できる通常のネジ部８として形成され、さらに端部５ｂは角形に形成されて、止水栓３へのねじ込みの際に該角形端部５ｂにボックス形レンチの角形係合部を嵌合して回転できるようになっている。係合手段としては、前記ナット７以外の手段、例えば任意の位置に取着できるクリップ手段等を利用することもできる。
【００２１】
前記の引抜き用のねじ込み部材５の全長は、引抜き具１０による引き抜き作用を考慮して任意に設定できるが、通常、該ねじ込み部材５の前記先端側の螺旋部７の長さは、引き抜き対象の止水栓３の軸方向寸法に応じて、例えば止水栓３の軸方向寸法と同程度かもしくはやや長く形成しておく。また、前記ねじ込み部材５の他端側のネジ部８の長さは、止水栓３の引き抜きスペースを考慮してマンホール１等の壁面１ａに当接セットされる引抜き具１０の後述する係合部材に対して前記係合手段としてのナット７を係合できる長さを保有するように設定しておく。
【００２２】
前記引抜き具１０は、図２〜図４に示すように、複数本の前記引抜き用のねじ込み部材５に対し係合する板状の係合部材１１と、該係合部材１１と所要の間隔をおいて略平行に対向配置され、マンホール１等の壁面１ａに対し当接させて引抜き操作時の反力を受ける反力受板１５と、前記係合部材１１と反力受板１５との間に介設されて相互に離隔可能に連接する軸方向移動手段２０とからなる。
【００２３】
前記係合部材１１は、正面よりみて図２のように、環状の一部を切欠開口させた正面略Ｕ字形状をなしており、その中央開口部がケーブル用の挿通部１２として該ケーブル４を前記切欠開口部１２ａから挿入できるように形成されている。この係合部材１１には、前記ケーブル用挿通部１２を中心として周方向に所要の間隔をおいて複数個所、例えば引抜き時の安定性の点から図のように略等角度間隔の３個所に、前記引抜き用ねじ込み部材５を挿通できる係合孔部１３が形成されている。この係合孔部１３の周縁には、反力受板１５とは反対側に、前記ねじ込み部材５側の係合手段であるナット７が係合する時の座部となる凸縁１４が設けられている。
【００２４】
また、前記反力受板１５は、前記係合部材１１より一回り大きい正面略Ｕ字形をなすように環状の一部を切欠開口させてなり、その中央開口部がケーブル用の挿通部１６として形成され、切欠開口部１６ａの方向を前記係合部材１１のケーブル用挿通部１２の切欠開口部１２ａの方向と合わせて配置されている。特に、図の場合、前記挿通部１６としての中央の開口は、前記係合部材１１の複数の係合孔部１３が存在する略円形の範囲よりやや大きく形成されており、各ねじ込み部材５を問題なく係合部材１１の係合孔部１３に挿通できるようになっている。前記挿通部１６としての開口を径小にする場合は、前記係合部材１１の係合孔部１３と対応する挿通孔を形成しておけばよい。
【００２５】
前記の反力受板１５には、前記係合部材１１との連接側とは反対側に突出した脚部材１７が設けられ、該脚部材１７がマンホール等の壁面に当接することにより、マンホール１等の壁面１ａとの間に所定のスペースを確保できるようになっている。図の反力受板１５の場合は、前記脚部材１７としてのボルトが前記挿通部１６の周囲部に間隔をおいて複数個所に螺合されて貫設されており、この脚部材１７としてのボルトの螺合位置の調整により、その突出長さをマンホール１等の壁面１ａの凹凸に応じて調整できるようになっている。これにより、壁面１ａに凹凸があってもガタつきなく安定性よく当接させることができることになる。前記脚部材１７としてのボルトは、図のように複数個所、特には３個所以上に設けておくのが当接時の安定性が良く好ましい。
【００２６】
前記脚部材１７としては、壁面との間に一定以上のスペースを確保して当接保持できるものであれば、図示する実施例のボルトを利用するものには限らない。また、脚部材１７としては長さ調整できるものが好ましいが、長さ調整できないものであっても実施可能である。また、脚部材を省略して反力受板１５をマンホール等の壁面１ａあるいは管路２の端面に対し直に当接させて実施することもできる。この場合は、反力受板１５の中央開口部１６は、止水栓３の引き抜きスペースを確保できるように、該止水栓３の外径より大きい開口とする。
【００２７】
前記係合部材１１と前記反力受板１５とを離隔可能に連接する軸方向移動手段２０としては、例えば、比較的小型の油圧ポンプにより作動する油圧シリンダー機構等の進退手段２１を利用できる。図の場合は、二つの油圧シリンダー機構よりなる進退手段２１，２１が、前記係合部材１１と前記反力受板１５との間において、ケーブル用挿通部１２，１６の両側に進退方向を止水栓３の引き抜き方向にして、それぞれ両端が前記係合部材１１と反力受板１５とに連接されて並設されている。すなわち、この進退手段２１の油圧等の力による進退作用により、係合部材１１を反力受板１５から強い力で隔離できるようになっている。２２は前記進退手段２１，２１を油圧ポンプと接続するチューブの接続部を示している。
【００２８】
前記の進退手段２１としては、前記の油圧ジャッキ等の油圧シリンダー機構のほか、手動回転式のスクリュージャッキ、チェーンブロックその他の機械的作用を利用して強い力で物体を押動し、あるいは引張して移動させ得る種々の進退手段を利用できる。実施上は前記の油圧シリンダー機構、中でも油圧式のジャッキ手段を利用するのが好ましい。
【００２９】
なお、図５に示す確認板３０は、マンホール１内等において止水栓３から延びているケーブル４の周囲部等に止水栓３の除去可能なスペースがあるか、すなわち前記の引抜き具１０をセットできるスペースの有無を確認し、さらに止水栓３に前記引抜き用のねじ込み部材５のねじ込み挿入位置を確認するためのものである。この確認板３０は、その中央部に、一部で外方に切欠開口したケーブル用の挿通孔３１を有し、該挿通孔３１の周辺に前記係合部材１１の係合孔部１３の位置に対応して孔３２が設けられており、該確認板３０を止水栓３に対接させて前記孔３２からマーキングをしてねじ込み位置を設定できるようになっている。
【００３０】
また、図６に示すガイド部材４０は、止水栓３に対して止前記引抜き用のねじ込み部材５をネジ込みする際に使用するもので、壁面１ａや止水栓３に対接させる支持板４１に前記ねじ込み部材５を挿通できるガイドパイプ４２を突設して貫通させてなる。４３は前記支持板４１に突設した把持部である。
【００３１】
次に、上記の第１の除去装置Ａ１を用いて、管路２の口部２ａに取着されている止水栓３を除去する方法について図７及び図８により説明する。
【００３２】
まず、マンホール１等の壁面１ａにおいて、管路２の口部２ａから露出している止水栓３に対し所定の位置に引抜き用のねじ込み部材５をねじ込む。このとき、必要に応じて、前記確認板３０を用い、該確認板３０を切欠開口部の側をケーブル４の曲がっている方向に向けて止水栓３に対接させて、孔３２から引抜き具１０の係合部材１１の係合孔部１３と対応する位置にマーキングをする。
【００３３】
そして、前記のマーキング位置にねじ棒よりなる引抜き用のねじ込み部材５の先端５ａを突き刺して、ボルト用レンチを用いて回転させるようにして螺旋部６の略全長をねじ込み挿入する（図７）。この際、前記のガイド部材４０を用いて、引抜き用のねじ込み部材５をガイドパイプ４２に貫挿して、ねじ込みの際の傾きや歪みを規制しながらねじ込み挿入する。
【００３４】
また、周囲の既設ケーブル等の影響で、前記のガイド部材４０を使用できないときは、前記引抜き用ボルト５が既設ケーブル４が存する軸心方向にねじ込まれないように、斜め外側に向けてねじ込み挿入する。
【００３５】
こうして、引抜き具１０を前記引抜き用のねじ込み部材５に対して引抜き可能な係合状態にセットする。すなわち、この引抜き具１０は、前記反力受板１５の側を前記壁面１ａの側にして、止水栓３から延びているケーブル４に対して略Ｕ字形をなす係合部材１１と反力受板１５の切欠開口部の側から嵌め合わせるとともに、前記ねじ込み部材５を反力受板１５の中央部ケーブル用挿通部１６から係合部材１１の係合孔部１３に通通させて、前記反力受板１５の複数の脚部材１７をマンホール１等の壁面１ａに当接せしめ、軸方向移動手段２０、すなわち油圧シリンダー機構等よりなる進退手段２１が壁面に対し略垂直になるように調整し、反力受板１５と該壁面１ａとの間に所定スペースを確保する（図８）。
【００３６】
次いで、前記引抜き用のねじ込み部材５に係合手段としてのナット７を螺合して、前記係合部材１１に係合させる。そして、軸方向移動手段２０としての油圧式の進退手段２１，２１を作動させて、その進出動作により係合部材１１を前記反力受板１５から離隔させる（図８の鎖線）。このとき、反力受板１５は前記壁面１ａに当接しているため、前記係合部材１１が壁面１ａから離れるように移動する。これに伴って、該係合部材１１に係合している複数本の前記引抜き用のねじ込み部材５が引き抜かれ、これと共に該ねじ込み部材５がねじ込まれている止水栓３が引き抜かれることになる。このときの反力は前記壁面１ａに当接する反力受板１５で受ける。これにより油圧等による強い力で止水栓３を引き抜くことができる。こうして止水栓３の密着が緩くなれば、手で抜き取る。
【００３７】
また、前記進退手段２１，２１のストロークが短く、１回の動作で密着が緩くなる程度に引き抜けない場合は、前記係合部材１１を進退手段２１，２１の後退動作により一旦元の位置に戻し、係合手段であるナット７の位置を変えて係合部材１１に係合させてから、再度、前記同様に進退手段２１，２１を作動させて引抜き動作を行えばよく、これにより前記止水栓３を管路２の口部２ａから容易に完全に引き抜くことができる。
【００３８】
この引抜き後は、係合手段のナット７を引き抜き用のねじ込み部材５から外して、係合部材１１を該ねじ込み部材５から抜脱し、引抜き具１０を取り外す。抜き取った止水栓３は、割れ目部分を開いてケーブル４から取り外し、ねじ込み部材５を止水栓３から抜き取る。この止水栓３は、殆ど破損することなく引抜くことができるため、再使用も可能になる。
【００３９】
なお、上記の実施例においては、引抜き具１０の係合部材１１を、反力受板１５に対し前記マンホール等の壁面１ａから遠方側に間隔をおいて配置して、前記反力受板１５に対し両者間に介設された軸方向移動手段２０により隔離可能に連接し、該軸方向移動手段２０の作動で前記係合部材１１を反力受板１５から隔離する方向に移動させて止水栓３を引き抜く構成とした場合を示したが、このほか、前記係合部材を、反力受板に対し前記マンホール等の壁面に近い側に配置し、この係合部材を前記反力受板に対しシリンダー機構等の軸方向移動手段により接近可能に連接しておいて、前記軸方向移動手段の作動で前記係合部材を反力受板に接近する方向に移動させて止水栓を引き抜く構成とすることもできる。
【００４０】
図９および図１０は、本発明に係る第２の管路用止水栓の除去装置Ａ２の実施例を示している。この除去装置Ａ２について説明する。
【００４１】
この第２の管路用止水栓の除去装置Ａ２は、マンホール１等の壁面１ａにおいて管路端より露出している前記止水栓３に対しねじ込み可能なねじ釘状の複数本の引抜き用のねじ込み部材１０５と、該ねじ込み部材１０５に係合して該ねじ込み部材１０５と共に止水栓３を引き抜くための引抜き具１１０とよりなる。
【００４２】
前記ねじ込み部材１０５は、図９中に示されているように、先端１０５ａが尖鋭状をなすとともに、先端から所要長さ部分の外周に螺条１０６が形成され、さらに後端部には、通常のねじ釘等と同様に拡径形成された後述する係合手段としての皿状もしくは半球状の頭部１０５ｂが形成されており、ドライバー等により止水栓３に対してねじ込み可能に形成されている。１０７は前記ねじ込み部材１０５に嵌着した筒状のガイド部材であって、後述のように係合孔部に嵌入することによりガイド作用を果たすように設けられている。前記ガイド部材１０７は、ねじ込み部材１０５の先端側になる半部がやや径小に形成されている。１０７ａはその径小部分を示す。
【００４３】
前記引抜き具１１０は、係合部材１１１と、反力受板１１５と、軸方向移動手段の操作環部材１２０とを有してなる。
【００４４】
前記係合部材１１１は、ケーブル４が挿通できかつ外周に螺条が形成されたねじ筒部１１２を有するとともに、該ねじ筒部１１２のマンホール等の壁面側になる一端部に止水栓３の外周と略同径のフランジ部１１３を有している。フランジ部１１３には、前記複数本のねじ込み部材１０５を挿通でき係合できる係合孔部１１４が、複数個所、例えば周方向等角度間隔の３個所に形成されている。図の場合、前記係合孔部１１４は、前記ガイド部材１０７の径小部分１０７ａが嵌入でき、かつ該ガイド部材１０７を介して前記ねじ込み部材１０５の頭部１０５ｂが係合するように形成されている。また前記ガイド部材１０７がこの係合孔部１１４に嵌入することにより、止水栓３に対するねじ込み部材１０５のねじ込み時のガイド作用を果たすようになっている。
【００４５】
そして、前記係合部材１１１のねじ筒部１１２は、その一端部のフランジ部１１３を含めて周方向の一部で、ケーブル４が通過できるように外側方に切欠開口せしめられている。１１２ａはその切欠開口部を示す。これにより、係合部材１１１をケーブル４をねじ筒部１１２に挿通した状態にセットできるようになっている。前記ねじ筒部１１２外周の螺条は前記切欠開口部１１２ａを介して連続するように形成される。
【００４６】
また、前記反力受板１１５は、板体の中央に前記ねじ筒部１１２の外径より大きい開口１１６を有し、前記ねじ筒部１１２に軸方向移動自在に遊嵌して且つ前記フランジ部１１３の外方でマンホール１等の壁面１ａに対し当接して引抜き操作時の反力を受けるものである。そのため、前記フランジ部より外方になる周縁部の複数個所、好ましくは３個所以上に、前記壁面１ａに当接する脚部材１１７としてのボルトが螺合手段により取着されている。図の場合、反力受板１１５は、前記フランジ部１１３の直径より縦横寸法が大きく且つ中央に開口１１６を有する四角形の板体よりなり、その四隅部に前記脚部材１１７としてのボルトが取着されている。１１８は前記脚部材１１７としてのボルトのロック用ナットであり、壁面１ａの凹凸に応じて、該ナット１１８の位置を調整してボルトの螺合固定する位置を調整することにより脚部材としての突出長さを調整できる。
【００４７】
前記脚部材１１７としては、上記した第１の除去装置Ａ１の実施例の場合と同様に、壁面１ａとの間に係合部材１１１の移動及び止水栓３の引き抜きに要する所定のスペースを確保して当接保持できるものであれば、図示する実施例のボルトを利用するものには限らず、他の種々の実施が可能である。
【００４８】
この反力受板１１５も、上記の係合部材１１１の場合と同様に、中央の開口１１６が周方向の一側部でケーブル４が通過できるように外側方に切欠開口せしめられている。１１６ａはその切欠開口部を示す。これにより、ケーブル４を前記開口１１６に挿通した状態にセットできるようになっている。
【００４９】
前記操作環部材１２０は、環状の一部を切欠して外側方に開口させた不完全な環状をなしており、その内周に前記ねじ筒部１１２外周の螺条と螺合する螺条が形成されている。１２１は前記の切欠開口部を示す。この操作環部材１２０は、前記反力受板１１５の後続において前記ねじ筒部１１２に螺合されて該反力受板１１５と対接せしめられるとともに、この状態での回動操作により、ねじ筒部１１２を含む係合部材１１の全体を、軸方向に、特にフランジ部１１３が前記反力受板１１５に対し近接する方向に軸方向移動させるように設けられている。
【００５０】
すなわち、前記のねじ筒部１１２と、反力受板１１５と、操作環部材１２０との組み合わせによって、前記係合部材１１１を軸方向に移動させるねじ送り機構による軸方向移動手段を構成しており、また前記操作環部材１２０がその移動操作を行えるようになっている。この操作環部材１２０にはその回動操作のためのハンドル１２２が突設されている。
【００５１】
この操作環部材１２０についても、前記切欠開口部１２１から、ケーブル４を通過させて、前記ねじ筒部１１２に螺合させて前記のようにセットできるように構成されている。
【００５２】
なお、前記ねじ筒部１１２を含む係合部材１１１、前記反力受板１１５および前記操作環部材１２０は、それぞれ前述のように切欠開口せしめられるが、これらの各部材の切欠開口部１１２ａ、１１６ａ及び１２１は、図１０に示しているように、いずれもその開き角度が多くとも１８０°未満でケーブル４が通過できる程度のものとする。特に操作環部材１２０とねじ筒部１１２については、操作環部材１２０の回動操作によっても離脱することがないように、前記切欠開口部１２１及び１１２ａの切欠幅を設定しておくのがよい。
【００５３】
この第２の除去装置Ａ２を用いて、管路２の口部２ａに取着されている止水栓３を除去する方法について説明する。
【００５４】
まず、図９に示すように、前記引抜き具１１０のねじ筒部１１２を含む係合部材１１１を、切欠開口部１１２ａからケーブル４の周りにセットし、この状態で前記係合部材１１１の係合孔部１１４を通してねじ釘状のねじ込み部材１０５を、管路２の口部２に露出する止水栓３に対しねじ込む。この際、前記ねじ込み部材１０５に嵌着したガイド部材１０７の径小部分１０７ａを係合孔部１１４に嵌合させて、ねじ込みの際の傾きや歪みを規制しながらねじ込み、ねじ込み部材１０５の頭部１０５ｂを、該ガイド部材１０７を介して係合孔部１１４に係合させておく。
【００５５】
次に、前記反力受板１１５を、切欠開口部１１６ａからケーブル４を通過させて前記係合部材１１１のねじ筒部１１２の外周に遊嵌し、脚部材１１７を前記係合部材１１１のフランジ部１１３の外方でマンホール１等の壁面１ａに当接させる。そして、この反力受板１１５の後続において、前記操作環部材１２０を、切欠開口部１２１の個所からケーブル４を通して前記ねじ筒部１１２に螺合し、前記反力受板１１５に対接させる。
【００５６】
この状態で、前記操作環部材１２０をハンドル１２２等により回動操作して、前記ねじ筒部１１２を前記壁面１ａに当接している反力受板１１５に対し、軸方向に牽引、つまり前記ねじ込み部材１０５が係合している係合部材１１１を、前記反力受板１１５をベースにして管路端から引き離す方向に軸方向移動させる。これにより、該係合部材１１１に係合している前記ねじ込み部材１０５と共に管路２の口部２ａにおける止水栓３が引き抜かれる（図９の鎖線）。またこのときの反力は、壁面１ａに当接する反力受板１１５で受けることができて、ねじ送り機構を利用した強い力で止水栓３を引き抜くことができる。こうして止水栓３の密着が緩くなれば、手で抜き取る。
【００５７】
この引抜き後は、操作環部材１２０をねじ筒部１１２から外し、反力受板１１５を抜き取るとともに、ねじ込み部材１０５を止水栓３から抜き取り、止水栓３をケーブル４から取り外せばよい。
【００５８】
このように、第１及び第２のいずれの除去装置を利用する場合も、管路２の口部２ａに取着されている止水栓３を、比較的強い力でケーブル４を損傷させるおそれなく、簡単にして容易に管路２から引き抜き除去することができる。
【００５９】
なお、上記のねじ込み部材及び引抜き具を用いる止水栓の除去方法及び除去装置は、ケーブルが通っていない空の管路の止水栓の除去にも適用可能である。
【００６０】
【発明の効果】
上記したように本発明の管路用止水栓の除去方法および除去装置によれば、管路の口部に取着されている止水栓を、油圧あるいはねじ送り機構等の機械的な力を利用して、既設のケーブルを損傷させることなく安全に、かつ簡単な操作で短時間に効率よく除去できる。しかも、止水栓の再使用も可能になる。
【図面の簡単な説明】
【図１】本発明の方法に使用する第１の除去装置のねじ込み部材の正面図である。
【図２】同上の第１の除去装置の引抜き具の側面図である。
【図３】同上の引抜き具の正面図である。
【図４】同上の引抜き具の概略斜視図である。
【図５】確認板の斜視図である。
【図６】ガイド部材の斜視図である。
【図７】止水栓に対するねじ込み部材のねじ込み状態を示す断面説明図である。
【図８】同上の装置による止水栓引抜き操作時の断面説明図である。
【図９】本発明の方法に使用する第２の除去装置による引抜き操作時の図１０のＸ−Ｘ線での断面説明図である。
【図１０】同上の装置の正面図である。
【図１１】管路用止水栓の取着状態を示す略示断面図である。
【図１２】管路用止水栓の正面図である。
【符号の説明】
Ａ１，Ａ２　管路用止水栓の除去装置
１　　マンホール
１ａ　壁面
２　　管路
２ａ　口部
３　　止水栓
４　　ケーブル
５　　ねじ込み部材
５ａ　先端
６　　螺旋部
７　　ナット
８　　ネジ部
１０　　引抜き具
１１　　係合部材
１２　　ケーブル用挿通部
１２ａ　切欠開口部
１３　　係合孔部
１５　　反力受板
１６　　ケーブル用挿通部
１７　　脚部材
２０　　軸方向移動手段
２１　　進退手段
３０　　確認板
４０　　ガイド部材
４１　　支持板
４２　　ガイドパイプ
１０５　　ねじ込み部材
１０５ａ　先端
１０６　　螺条
１０７　　ガイド部材
１１０　　引抜き具
１１１　　係合部材
１１２　　ねじ筒部
１１２ａ　切欠開口部
１３　　　フランジ部
１１４　　係合孔部
１１５　　反力受板
１１６　　開口
１１７　　脚部材
１２０　　操作環部材
１２１　　切欠開口部
１２２　　ハンドル
【図１】
2004023855.tif 000003
【図２】
2004023855.tif 000004
【図３】
2004023855.tif 000005
【図４】
2004023855.tif 000006
【図５】
2004023855.tif 000007
【図６】
2004023855.tif 000008
【図７】
2004023855.tif 000009
【図８】
2004023855.tif 000010
【図９】
2004023855.tif 000011
【図１０】
2004023855.tif 000012
【図１１】
2004023855.tif 000013
【図１２】
2004023855.tif 000014